(57)【要約】  空気清浄機（１１０）は、互いに離れて設けられる複数のシロッコファン（３１）と、複数のシロッコファン（３１）を一体に支持する支持ケース（１２）とを備える。シロッコファン（３１）は、周方向に互いに間隔を隔てて設けられる複数の羽根部と、複数の羽根部を回転させるモータと、羽根部の回転に伴って、羽根部の回転中心軸（１０１）の軸方向から空気を吸い込む吸い込み口（３２）と、羽根部の回転中心軸（１０１）の半径方向に空気を吹き出す吹き出し口（３３）とが形成されるケーシングとを有する。このような構成により、簡易な構成で、種々の設計上の要求を満たす送風機を提供する。
2018016105.tif 000002
【特許請求の範囲】
【請求項１】
互いに離れて設けられる複数の遠心ファンと、
複数の前記遠心ファンを一体に支持する支持部とを備え、
前記遠心ファンは、
周方向に互いに間隔を隔てて設けられる複数の羽根部と、
複数の前記羽根部を回転させるモータと、
前記羽根部の回転に伴って、前記羽根部の回転中心軸の軸方向から空気を吸い込む吸い込み口と、前記羽根部の回転中心軸の半径方向に空気を吹き出す吹き出し口とが形成されるケーシングとを有する、送風機。
【請求項２】
複数の前記遠心ファンは、前記吹き出し口が互いに異なる方向を向いて開口する第１遠心ファンおよび第２遠心ファンを含む、請求項１に記載の送風機。
【請求項３】
複数の前記遠心ファンは、平面上に並べられる、請求項１または２に記載の送風機。
【請求項４】
複数の前記遠心ファンは、複数の前記遠心ファンの間で、前記羽根部の回転中心軸が互いに平行となるように並べられる、請求項１から３のいずれか１項に記載の送風機。
【請求項５】
複数の前記遠心ファンは、前記羽根部の回転中心軸が互いに非平行となる第３遠心ファンおよび第４遠心ファンを含む、請求項１から３のいずれか１項に記載の送風機。
【請求項６】
複数の前記遠心ファンは、矩形の辺上または円周上に並べられる、請求項１から５のいずれか１項に記載の送風機。
【請求項７】
複数のファンユニットを備え、
前記ファンユニットは、
遠心ファンと、
空気が通過可能なフィルター、および、イオンを発生するイオン発生装置の少なくともいずれか一方と、
前記遠心ファンと、前記フィルターおよび前記イオン発生装置の少なくともいずれか一方とを、一体に支持する支持部とを有し、
前記遠心ファンは、
周方向に互いに間隔を隔てて設けられる複数の羽根部と、
複数の前記羽根部を回転させるモータと、
前記羽根部の回転に伴って、前記羽根部の回転中心軸の軸方向から空気を吸い込む吸い込み口と、前記羽根部の回転中心軸の半径方向に空気を吹き出す吹き出し口とが形成されるケーシングとを含む、送風機。
【請求項８】
複数の前記ファンユニットは、互いに連結可能なように構成される、請求項７に記載の送風機。
【発明の詳細な説明】
【技術分野】
【０００１】
この発明は、送風機に関する。本出願は、２０１６年７月２１日に出願した日本特許出願である特願２０１６−１４３２０１号に基づく優先権を主張する。当該日本特許出願に記載された全ての記載内容は、参照によって本明細書に援用される。
【背景技術】
【０００２】
従来の送風機に関して、たとえば、特開２０１１−８９４４４号公報には、任意の平面から広範囲に層流を発生させるとともに、軽量簡易にして少ないエネルギーで駆動可能な超薄型パネル式層流送風機が開示されている（特許文献１）。特許文献１に開示された層流送風機においては、回転軸が回転翼の前縁および後縁を超えないインハブタイプの電動ファンが、二次元平面に等間隔に配置されている。電動ファン間が電気的に並列に接続されることにより、各電動ファンに等電圧が加えられる。
【先行技術文献】
【特許文献】
【０００３】
【特許文献１】特開２０１１−８９４４４号公報
【発明の概要】
【発明が解決しようとする課題】
【０００４】
静圧が高く、圧力損失に対して優れた性能を示す遠心ファン（シロッコファンやターボファン）を用いた送風機として、たとえば、空気清浄機が知られている。このような空気清浄機においては、全体形状や大きさ（薄さ）、空気の吸い込み方向、吹き出し方向、送風能力、ファンとフィルターまたはイオン発生装置との位置関係など、種々の設計上の要求を満たす必要がある。【０００５】
また別に、ユーザが求める送風機の全体形状や大きさ、空気の吸い込み方向、吹き出し方向などの送風機の使用形態は、送風機が使用される場所や目的、ユーザの好みなどによって変化する。このようなユーザが求める使用形態の変化に容易に対応することが可能な送風機の実現が求められている。【０００６】
そこでこの発明の一態様の目的は、上記の課題を解決することであり、簡易な構成で、種々の設計上の要求を満たす送風機を提供することである。また、この発明の別態様の目的は、上記の課題を解決することであり、ユーザが求める使用形態の変化に容易に対応することが可能な送風機を提供することである。
【課題を解決するための手段】
【０００７】
この発明の一態様に従った送風機は、互いに離れて設けられる複数の遠心ファンと、複数の遠心ファンを一体に支持する支持部とを備える。遠心ファンは、周方向に互いに間隔を隔てて設けられる複数の羽根部と、複数の羽根部を回転させるモータと、羽根部の回転に伴って、羽根部の回転中心軸の軸方向から空気を吸い込む吸い込み口と、羽根部の回転中心軸の半径方向に空気を吹き出す吹き出し口とが形成されるケーシングとを有する。【０００８】
また好ましくは、複数の遠心ファンは、吹き出し口が互いに異なる方向を向いて開口する第１遠心ファンおよび第２遠心ファンを含む。【０００９】
また好ましくは、複数の遠心ファンは、平面上に並べられる。
また好ましくは、複数の遠心ファンは、複数の遠心ファンの間で、羽根部の回転中心軸が互いに平行となるように並べられる。【００１０】
また好ましくは、複数の遠心ファンは、羽根部の回転中心軸が互いに非平行となる第３遠心ファンおよび第４遠心ファンを含む。【００１１】
また好ましくは、複数の遠心ファンは、矩形の辺上または円周上に並べられる。
この発明の別態様に従った送風機は、複数のファンユニットを備える。ファンユニットは、遠心ファンと、空気が通過可能なフィルター、および、イオンを発生するイオン発生装置の少なくともいずれか一方と、遠心ファンと、フィルターおよびイオン発生装置の少なくともいずれか一方とを、一体に支持する支持部とを有する。遠心ファンは、周方向に互いに間隔を隔てて設けられる複数の羽根部と、複数の羽根部を回転させるモータと、羽根部の回転に伴って、羽根部の回転中心軸の軸方向から空気を吸い込む吸い込み口と、羽根部の回転中心軸の半径方向に空気を吹き出す吹き出し口とが形成されるケーシングとを含む。【００１２】
また好ましくは、複数のファンユニットは、互いに連結可能なように構成される。
【発明の効果】
【００１３】
この発明の一態様に従えば、簡易な構成で、種々の設計上の要求を満たす送風機を提供することができる。また、この発明の別態様に従えば、ユーザが求める使用形態の変化に容易に対応することが可能な送風機を提供することができる。
【図面の簡単な説明】
【００１４】
【図１】この発明の実施の形態１における空気清浄機を示す斜視図である。
【図２】図１中のＩＩ−ＩＩ線上の矢視方向に見た空気清浄機を示す断面図である。
【図３】図１中のＩＩＩ−ＩＩＩ線上の矢視方向に見た空気清浄機を示す断面図である。
【図４】シロッコファンを正面側から見た斜視図である。
【図５】シロッコファンを背面側から見た斜視図である。
【図６】この発明の実施の形態２における空気清浄機を示す断面図である。
【図７】この発明の実施の形態２における空気清浄機を示す断面図である。
【図８】この発明の実施の形態３における空気清浄機のシステム構成を示す斜視図である。
【図９】この発明の実施の形態４における空気清浄機を示す斜視図である。
【図１０】この発明の実施の形態５における空気清浄機を示す斜視図である。
【図１１】図１０中の空気清浄機の変形例を示す斜視図である。
【図１２】図１０中の空気清浄機の変形例を示す斜視図である。
【図１３】この発明の実施の形態６における空気清浄機を示す斜視図である。
【図１４】図１３中のＸＩＶ−ＸＩＶ線上の矢視方向から見た空気清浄機を示す断面図である。
【図１５】図１３中のＸＶ−ＸＶ線上の矢視方向から見た空気清浄機を示す断面図である。
【図１６】この発明の実施の形態７における空気清浄機を示す斜視図である。
【図１７】図１６中のＸＶＩＩ−ＸＶＩＩ線上の矢視方向から見た空気清浄機を示す断面図である。
【図１８】図１７中の空気清浄機の変形例を示す断面図である。
【図１９】図１７中の空気清浄機の変形例を示す断面図である。
【図２０】図１７中の空気清浄機の変形例を示す断面図である。
【図２１】この発明の実施の形態８における空気清浄機を示す斜視図である。
【図２２】この発明の実施の形態９における空気清浄機を示す斜視図である。
【図２３】図２２中の空気清浄機の使用形態の具体例を示す斜視図である。
【図２４】図２２中の空気清浄機の使用形態の具体例を示す斜視図である。
【図２５】図２２中の空気清浄機の使用形態の具体例を示す斜視図である。
【図２６】空気清浄機の使用形態の具体例を示す斜視図である。
【図２７】空気清浄機の使用形態の具体例を示す斜視図である。
【図２８】空気清浄機の使用形態の具体例を示す斜視図である。
【図２９】空気清浄機の使用形態の具体例を示す斜視図である。
【図３０】空気清浄機の使用形態の具体例を示す斜視図である。
【図３１】この発明の実施の形態１１における空気清浄機の使用形態の具体例を示す斜視図である。
【図３２】この発明の実施の形態１１における空気清浄機の使用形態の具体例を示す斜視図である。
【図３３】図３１および図３２中の空気清浄機を構成するファンユニットを示す斜視図である。
【発明を実施するための形態】
【００１５】
この発明の一実施形態について、図面を参照して説明する。なお、以下で参照する図面では、同一またはそれに相当する部材には、同じ番号が付されている。
【００１６】
（実施の形態１）
図１は、この発明の実施の形態１における空気清浄機を示す斜視図である。図２は、図１中のＩＩ−ＩＩ線上の矢視方向に見た空気清浄機を示す断面図である。図３は、図１中のＩＩＩ−ＩＩＩ線上の矢視方向に見た空気清浄機を示す断面図である。
【００１７】
図１から図３を参照して、空気清浄機１１０は、複数のシロッコファン３１と、支持ケース１２とを有する。複数のシロッコファン３１は、互いに離れて設けられている。支持ケース１２は、複数のシロッコファン３１を一体に支持するように設けられている。
【００１８】
支持ケース１２は、一面が開口した直方体形状を有する。支持ケース１２は、第１側部１３、第２側部１４、第３側部１５、第４側部１６および底部１７を有する。第１側部１３、第２側部１４、第３側部１５および第４側部１６は、底部１７の四辺から立ち上がるように設けられている。支持ケース１２は、これら側部の立ち上がり方向が厚み方向となる平板形状を有する。
【００１９】
第１側部１３、第２側部１４、第３側部１５および第４側部１６は、挙げた順に並んで、底部１７の四辺に沿って周回している。その周回方向において、第２側部１４および第４側部１６は、第１側部１３および第３側部１５よりも大きい長さを有する。
【００２０】
複数のシロッコファン３１は、支持ケース１２内に配置されている。複数のシロッコファン３１は、底部１７に載置されている。複数のシロッコファン３１は、たとえば、底部１７にねじ止めされることによって、一体に支持されている。
【００２１】
本実施の形態では、複数のシロッコファン３１として、シロッコファン３１Ａ，３１Ｂ，３１Ｃ，３１Ｄ，３１Ｅ，３１Ｆ，３１Ｇ，３１Ｈ，３１Ｉ，３１Ｊ，３１Ｋ，３１Ｌが設けられている。シロッコファン３１Ａ〜３１Ｌは、矩形の辺上の並んで設けられている。シロッコファン３１Ａ〜３１Ｌは、底部１７の四辺に沿って並んで設けられている。
【００２２】
より具体的には、シロッコファン３１Ｌは、第１側部１３と第２側部１４との隅部に設けられている。シロッコファン３１Ｄは、第２側部１４と第３側部１５との隅部に設けられている。シロッコファン３１Ｌおよびシロッコファン３１Ａ〜３１Ｃは、第２側部１４に沿って直線上に並んでいる。シロッコファン３１Ｆは、第３側部１５と第４側部１６との隅部に設けられている。シロッコファン３１Ｄ〜３１Ｆは、第３側部１５に沿って直線上に並んでいる。シロッコファン３１Ｊは、第４側部１６と第１側部１３との隅部に設けられている。シロッコファン３１Ｆ〜３１Ｊは、第４側部１６に沿って直線上に並んでいる。シロッコファン３１Ｊ〜３１Ｌは、第１側部１３に沿って直線上に並んでいる。
【００２３】
図４は、シロッコファンを正面側から見た斜視図である。図５は、シロッコファンを背面側から見た斜視図である。
【００２４】
図４および図５を参照して、シロッコファン３１は、ロータ部３４と、複数の羽根部３５と、シャフト３９と、軸受け３８と、モータ３６と、ケーシング３７とを有する。
【００２５】
ロータ部３４は、仮想上の回転中心軸１０１に沿って円筒状に延びる形状を有する。複数の羽根部３５は、ロータ部３４の外周上に設けられている。複数の羽根部３５は、ロータ部３４と一体に設けられている。複数の羽根部３５は、回転中心軸１０１を中心とする周方向に互いに間隔を隔てて設けらている。
【００２６】
シャフト３９は、回転中心軸１０１に沿って軸状に延びている。そのシャフト３９の一方端は、ロータ部３４に接続され、シャフト３９の他方端は、軸受け３８により回転可能に支持されている。モータ３６は、複数の羽根部３５を回転中心軸１０１を中心に回転駆動可能なように構成されている。モータ３６は、ロータ部３４の内周面に取り付けられた永久磁石との電磁作用によって、シャフト３９、ロータ部３４および複数の羽根部３５を回転駆動させる。
【００２７】
ケーシング３７には、ロータ部３４、複数の羽根部３５、シャフト３９、軸受け３８およびモータ３６が収容されており、ケーシング３７は、シロッコファン３１の外観をなしている。
【００２８】
ケーシング３７には、吸い込み口３２および吹き出し口３３が形成されている。吸い込み口３２は、回転中心軸１０１の軸上において開口している。吹き出し口３３は、回転中心軸１０１の半径方向外側に向けて開口している。吸い込み口３２の開口面と、吹き出し口３３の開口面とは、直交関係にある。羽根部３５の回転に伴って、回転中心軸１０１の軸方向から吸い込み口３２を通じてケーシング３７内に空気が吸い込まれ、吹き出し口３３を通じてケーシング３７内から回転中心軸１０１の半径方向外側に空気が吹き出される。
【００２９】
ケーシング３７は、回転中心軸１０１の軸方向が厚み方向となる平板形状を有する。回転中心軸１０１から吹き出し口３３までのケーシング３７の最短長さをＬとし、ケーシング３７の厚みをＴとした場合に、Ｔ／Ｌ≦０．２５の関係を満たすことが好ましく、Ｔ／Ｌ≦０．２の関係を満たすことがさらに好ましく、Ｔ／Ｌ≦０．１５の関係を満たすことがさらに好ましい。
【００３０】
シロッコファン３１としては、たとえば、ノート型パソコン等の薄型電子機器内に収容されるものが好適に利用される。
【００３１】
図１から図３を参照して、複数のシロッコファン３１（３１Ａ〜３１Ｌ）は、平面上に並べられている。複数のシロッコファン３１は、底部１７に平行な平面上に並べられている。複数のシロッコファン３１は、複数のシロッコファン３１の間で、回転中心軸１０１が互いに平行となるように設けられている。複数のシロッコファン３１は、回転中心軸１０１が底部１７に直交するように設けられている。複数のシロッコファン３１は、回転中心軸１０１の軸方向が支持ケース１２の厚み方向となるように設けられている。
【００３２】
複数のシロッコファン３１の吸い込み口３２は、底部１７とは反対側の一方向を向いて開口している。複数のシロッコファン３１の吸い込み口３２は、後述するフィルター４１と対向して開口している。
【００３３】
支持ケース１２は、仕切り板１８をさらに有する。仕切り板１８は、第１側部１３、第２側部１４、第３側部１５および第４側部１６により取り囲まれた空間において、底部１７と距離を隔てて平行に配置されている。複数のシロッコファン３１は、回転中心軸１０１の軸方向において、仕切り板１８および底部１７の間に収容されている。仕切り板１８には、開口部２２が形成されている。開口部２２は、複数のシロッコファン３１の吸い込み口３２と対向するように形成されている。
【００３４】
空気清浄機１１０は、フィルター４１をさらに有する。フィルター４１は、空気が通過可能なものであって、たとえば、集塵フィルター、脱臭フィルターまたはＨＥＰＡフィルター（High  Efficiency  Particulate  Air  Filter）や、これらのフィルターの組み合わせが用いられる。
【００３５】
フィルター４１は、支持ケース１２の開口に対応する矩形形状の平面視を有する。フィルター４１は、支持ケース１２の開口に嵌め合わされている。フィルター４１は、複数のシロッコファン３１を挟んで底部１７の反対側に配置されている。フィルター４１は、複数のシロッコファン３１から距離を隔てて設けられている。フィルター４１と、複数のシロッコファン３１との間の距離は、たとえば、１０ｍｍである。
【００３６】
複数のシロッコファン３１は、吹き出し口３２が互いに異なる方向を向いて開口する複数グループに分類される。
【００３７】
より具体的には、シロッコファン３１Ａ，３１Ｂ，３１Ｃの吹き出し口３３は、第２側部１４と対向して開口している。シロッコファン３１Ｄ，３１Ｅ，３１Ｆの吹き出し口３３は、第３側部１５と対向して開口している。シロッコファン３１Ｇ，３１Ｈ，３１Ｉの吹き出し口３３は、第４側部１６と対向して開口している。シロッコファン３１Ｊ，３１Ｋ，３１Ｌの吹き出し口３３は、第１側部１３と対向して開口している。
【００３８】
支持ケース１２には、開口部２１が形成されている。開口部２１は、複数のシロッコファン３１（３１Ａ〜３１Ｌ）の吹き出し口３３と対向するように、第１側部１３、第２側部１４、第３側部１５および第４側部１６に形成されている。
【００３９】
本実施の形態では、複数のシロッコファン３１が、９０°ずつ異なる四方向に送風可能なように設けられている。第１側部１３、第２側部１４、第３側部１５および第４側部１６の各側部から送風するシロッコファン３１の数は、同数（３個ずつ）であるが、これに限られず、たとえば、第２側部１４および第４側部１６から送風するシロッコファン３１の数を４個ずつとし、第１側部１３および第３側部１５から送風するシロッコファン３１の数を２個ずつとしてもよい。
【００４０】
このように本実施の形態における空気清浄機１１０においては、ノート型パソコン等に利用されているシロッコファン３１を複数、支持ケース１２内に並べて用いている。このような構成により、複数のシロッコファン３１の配置を通じて、空気清浄機１１０の全体形状を自由にデザインすることができる。また、複数のシロッコファン３１を、各シロッコファン３１の吹き出し口３３を様々な方向に向けて配置することにより、空気清浄機１１０からの送風方向を自由に設計することができる。この際、多方向への送風を実現するために別途ダクトを設ける必要がないため、空気清浄機１１０を簡易に構成することができる。
【００４１】
また、複数のシロッコファン３１を平面上に並べることによって、空気清浄機１１０の小型化および薄型化を図ることができる。
【００４２】
従来の１つのシロッコファンを用いた空気清浄機において、フィルターの中央部にシロッコファンの吸い込み口を対向させた場合、フィルターの外周部が十分に利用されておらず、フィルター面積を有効に利用するためには、フィルターとシロッコファンとを離す必要があった（たとえば、３０ｍｍ）。一方、本実施の形態では、複数のシロッコファン３１を、各シロッコファン３１の吸い込み口３３がフィルター４１に対向するように並べられるため、複数のシロッコファン３１とフィルター４１とをより近接して配置しつつ、フィルター４１の利用面積を増大させることができる。これにより、空気清浄機１１０の薄型化を容易に図ることができる。
【００４３】
空気清浄機１１０は、イオン発生装置５１をさらに有する。イオン発生装置５１は、プラスイオンＨ＋（Ｈ２Ｏ）ｎ（ｎは０を含まない任意の整数)またはマイナスイオンＯ２−（Ｈ２Ｏ）ｍ（ｍは０を含む任意の整数）を発生させる。イオン発生装置５１は、これらのイオンを送出することにより、空気中のウイルスを不活性化もしくは死滅させる機能を有する。
【００４４】
イオン発生装置５１は、各シロッコファン３１に対応して設けられている。イオン発生装置５１は、複数のシロッコファン３１が配置される平面と同じ平面上に配置されている。イオン発生装置５１は、互いに隣り合うシロッコファン３１の間に設けられている。イオン発生装置５１は、シロッコファン３１とともに、底部１７の四辺に沿って並んで設けられている。
【００４５】
イオン発生装置５１は、各シロッコファン３１の吹き出し口３３から吹き出された空気中にイオンを送出するように設けられている。より具体的には、イオン発生装置５１は、放電電極５２を有する。放電電極５２は、先鋭化された針形状の先端部を有する。放電電極５２に高電圧が印加されると、放電電極および誘導電極（不図示）間にコロナ放電が起こり、放電電極の先端部にイオンが発生する。イオン発生装置５１は、放電電極５２の先端部が吹き出し口３３と対向して位置決めされるように設けられている。
【００４６】
空気清浄機１１０は、制御部２０をさらに有する。制御部２０は、シロッコファン３１におけるモータ３６の駆動を制御したり、イオン発生装置５１の駆動を制御したりする。制御部２０は、底部１７に載置されている。制御部２０は、複数のシロッコファン３１が配置される平面と同じ平面上に配置されている。複数のシロッコファン３１は、底部１７上において、制御部２０を取り囲むように設けられている。制御部２０は、矩形形状に周回する複数のシロッコファン３１の内側に配置されている。
【００４７】
このように本実施の形態における空気清浄機１１０においては、イオン発生装置５１および制御部２０の設置場所として、それぞれ、互いに隣り合うシロッコファン３１間の空間および複数のシロッコファン３１の内側の空間を有効に利用している。これにより、空気清浄機１１０の小型化および薄型化をさらに図ることができる。
【００４８】
以上に説明した、この発明の実施の形態１における空気清浄機１１０の構造についてまとめて説明すると、本実施の形態における送風機としての空気清浄機１１０は、互いに離れて設けられる複数の遠心ファンとしてのシロッコファン３１と、複数のシロッコファン３１を一体に支持する支持部としての支持ケース１２とを備える。シロッコファン３１は、周方向に互いに間隔を隔てて設けられる複数の羽根部３５と、複数の羽根部３５を回転させるモータ３６と、羽根部３５の回転に伴って、羽根部３５の回転中心軸１０１の軸方向から空気を吸い込む吸い込み口３２と、羽根部３５の回転中心軸１０１の半径方向に空気を吹き出す吹き出し口３３とが形成されるケーシング３７とを有する。
【００４９】
このように構成された、この発明の実施の形態１における空気清浄機１１０によれば、簡易な構成で、種々の設計上の要求を満たす空気清浄機を実現することができる。
【００５０】
なお、本発明における遠心ファンは、ターボファンであってもよい。また、本実施の形態では、本発明における送風機を空気清浄機に適用した場合について説明したが、これに限られず、本発明は、加湿機、除湿機、ファンヒータ、冷却装置および換気装置などの送風機能を有する各種の電気機器に適用される。
【００５１】
（実施の形態２）
図６および図７は、この発明の実施の形態２における空気清浄機を示す断面図である。図６および図７は、それぞれ、実施の形態１における図２および図３に対応する図である。本実施の形態における空気清浄機は、実施の形態１における空気清浄機１１０と比較して、基本的には同様の構造を備える。以下、重複する構造については、その説明を繰り返さない。
【００５２】
図６および図７を参照して、この発明の実施の形態２における空気清浄機１１５においては、複数のシロッコファン３１が、羽根部３５の回転中心軸１０１の軸方向に間隔を隔てた複数層に渡って設けられている。
【００５３】
より具体的には、空気清浄機１１５は、実施の形態１におけるシロッコファン３１Ａ〜３１Ｌに加えて、シロッコファン３１Ｍ、シロッコファン３１Ｎおよびシロッコファン３１Ｏをさらに有する。
【００５４】
支持ケース１２は、仕切り板２６をさらに有する。仕切り板２６は、仕切り板１８およびフィルター４１の間に設けられている。仕切り板２６は、仕切り板１８と距離を隔てて平行に配置されている。シロッコファン３１Ｍ〜３１Ｏは、回転中心軸１０１の軸方向において、仕切り板１８および仕切り板２６の間に設けられている。シロッコファン３１Ｍ〜３１Ｏは、回転中心軸１０１の軸方向において制御部２０と重なる位置に設けられている。仕切り板１８には、開口部２７および開口部２８が形成されている。開口部２７は、シロッコファン３１Ｍ〜３１Ｏの吸い込み口３２と対向するように形成されている。開口部２８は、仕切り板１８に形成された開口部２２と対向するように形成されている。
【００５５】
このような構成により、支持ケース１２の底部１７上の一層目には、シロッコファン３１Ａ〜３１Ｌが設けられ、支持ケース１２の仕切り板１８上の二層目には、シロッコファン３１Ｍ〜３１Ｏが設けられている。
【００５６】
シロッコファン３１Ｍ〜３１Ｏの吹き出し口３３は、第２側部１４と対向して開口している。この場合、第２側部１４からの送風量を増大させることができる。このような構成に限られず、シロッコファン３１Ｍ〜３１Ｏの吹き出し口３３は、互いに異なる方向を向いて開口してもよい。
【００５７】
このように構成された、この発明の実施の形態２における空気清浄機１１５によれば、実施の形態１に記載の効果を同様に奏することができる。
【００５８】
（実施の形態３）
図８は、この発明の実施の形態３における空気清浄機のシステム構成を示す斜視図である。
【００５９】
図８を参照して、この発明の実施の形態３における空気清浄機１２０は、基本的な空気清浄機能を発揮するための構成として、実施の形態１において説明した複数のシロッコファン３１、支持ケース１２、制御部２０、フィルター４１およびイオン発生装置５１を有する。
【００６０】
本実施の形態では、空気清浄機１２０に種々な機能を追加するためのアタッチメントが準備されている。アタッチメントとしては、空気清浄機１２０を壁等に取り付けるための取り付け治具５４、空気清浄機１２０に電力供給するためのマグネットプラグ付きのコード５５、空気清浄機１２０を立てるためのスタンド５６、空気清浄機１２０におけるイオン発生量を増強するためのイオン発生装置ユニット５７、赤外線通信によって空気清浄機１２０と通信可能な各種センサ（埃センサ、臭いセンサ等）５８、および、空気清浄機１２０に着脱可能なモバイル用バッテリ５９等が挙げられる。
【００６１】
このように構成された、この発明の実施の形態３における空気清浄機１２０のシステム構成によれば、空気清浄機１２０の基本性能をそのままに、ユーザニーズの多様化に対応することができる。
【００６２】
（実施の形態４）
図９は、この発明の実施の形態４における空気清浄機を示す斜視図である。図９中では、空気清浄機の内部構造を示すために、フィルター４１の一部の図示が省略されている。本実施の形態における空気清浄機は、実施の形態１における空気清浄機１１０と比較して、主に複数のシロッコファン３１の配置が異なる。以下、重複する構造については、その説明を繰り返さない。
【００６３】
図９を参照して、この発明の実施の形態４における空気清浄機１３０は、複数のシロッコファン３１と、支持ケース１２と、フィルター４１と、イオン発生装置（不図示）とを有する。
【００６４】
複数のシロッコファン３１は、平面上に並べられている。複数のシロッコファン３１は、仮想上の中心軸１０２を中心とする円周上に並んで設けられている。複数のシロッコファン３１は、中心軸１０２を中心とする周方向において等間隔に設けられている。複数のシロッコファン３１は、複数のシロッコファン３１の間で、回転中心軸１０１が互いに平行となるように設けられている。複数のシロッコファン３１は、回転中心軸１０１が中心軸１０２と平行となるように設けられている。
【００６５】
複数のシロッコファン３１の吸い込み口３２は、中心軸１０２の軸方向に沿った一方向を向いて開口している。複数のシロッコファン３１の吹き出し口３２は、互いに異なる方向を向いて開口している。複数のシロッコファン３１の吹き出し口３２は、互いに中心軸１０２の周方向にずれた位置で、中心軸１０２の半径方向外側を向いて開口している。
【００６６】
支持ケース１２は、複数のシロッコファン３１を一体に支持するように設けられている。支持ケース１２は、中心軸１０２を中心とし、回転中心軸１０１（中心軸１０２）の軸方向が厚み方向となる円板形状を有する。
【００６７】
フィルター４１は、中心軸１０２の軸方向において支持ケース１２と重ね合わされている。フィルター４１は、複数のシロッコファン３１の吸い込み口３２と対向するように設けられている。フィルター４１は、中心軸１０２を中心とし、回転中心軸１０１（中心軸１０２）の軸方向が厚み方向となる円板形状を有する。空気清浄機１３０は、全体として、中心軸１０２を中心とし、回転中心軸１０１（中心軸１０２）の軸方向が厚み方向となる円板形状を有する。
【００６８】
このような構成により、全体として、円板形状を有し、中心軸１０２の軸方向に空気を吸い込み、中心軸１０２の半径方向外側に空気を吹き出す空気清浄機１３０を実現することができる。
【００６９】
なお、複数のシロッコファン３１は、中心軸１０２を中心とする周方向において不等間隔に設けられてもよい。複数のシロッコファン３１を、回転中心軸１０１が中心軸１０２に対して傾くような姿勢で設けてもよい。
【００７０】
このように構成された、この発明の実施の形態４における空気清浄機１３０によれば、実施の形態１に記載の効果を同様に奏することができる。
【００７１】
（実施の形態５）
図１０は、この発明の実施の形態５における空気清浄機を示す斜視図である。図１０中では、空気清浄機の内部構造を示すために、フィルター４１の一部の図示が省略されている。本実施の形態における空気清浄機は、実施の形態１における空気清浄機１１０と比較して、主に複数のシロッコファン３１の配置が異なる。以下、重複する構造については、その説明を繰り返さない。
【００７２】
図１０を参照して、この発明の実施の形態５における空気清浄機１４０は、複数のシロッコファン３１と、支持ケース１２と、フィルター４１と、イオン発生装置（不図示）とを有する。
【００７３】
複数のシロッコファン３１は、湾曲面上に並べられている。複数のシロッコファン３１は、仮想上の中心軸１０３の周りに並べられている。複数のシロッコファン３１は、中心軸１０３を中心とする円筒面上に並べられている。複数のシロッコファン３１は、回転中心軸１０１が中心軸１０３から放射状に延びるように設けられている。
【００７４】
複数のシロッコファン３１は、第１群のシロッコファン３１Ｐと、第２群のシロッコファン３１Ｑとを含む。第１群のシロッコファン３１Ｐおよび第２群のシロッコファン３１Ｑは、同数である。
【００７５】
第１群のシロッコファン３１Ｐは、中心軸１０３を中心とする円周上に並んで設けられている。第１群のシロッコファン３１Ｐは、中心軸１０３を中心とする周方向において等間隔に設けられている。第２群のシロッコファン３１Ｑは、中心軸１０３を中心とする円周上に並んで設けられている。第２群のシロッコファン３１Ｑは、中心軸１０３を中心とする周方向において等間隔に設けられている。
【００７６】
第１群のシロッコファン３１Ｐの吸い込み口３２は、互いに異なる方向を向いて開口している。第１群のシロッコファン３１Ｐの吹き出し口３２は、互いに中心軸１０３の周方向にずれた位置で、中心軸１０３の半径方向外側を向いて開口している。第１群のシロッコファン３１Ｐは、第１群のシロッコファン３１Ｐの間で、回転中心軸１０１が互いに非平行となるように設けられている。第２群のシロッコファン３１Ｑの吸い込み口３２は、互いに異なる方向を向いて開口している。第２群のシロッコファン３１Ｑの吹き出し口３２は、互いに中心軸１０３の周方向にずれた位置で、中心軸１０３の半径方向外側を向いて開口している。第２群のシロッコファン３１Ｑは、第２群のシロッコファン３１Ｑの間で、回転中心軸１０１が互いに非平行となるように設けられている。
【００７７】
第１群のシロッコファン３１Ｐの吹き出し口３３は、中心軸１０３の軸方向に沿った第１方向（図１０中において、下方向）を向いて開口している。第２群のシロッコファン３１Ｑの吹き出し口３３は、中心軸１０３の軸方向に沿った、第１方向とは反対方向の第２方向（図１０中において、上方向）を向いて開口している。
【００７８】
支持ケース１２は、複数のシロッコファン３１を一体に支持するように設けられている。支持ケース１２は、中心軸１０３を中心とする円筒形状を有する。
【００７９】
フィルター４１は、中心軸１０３の半径方向外側から支持ケース１２に重ね合わされている。フィルター４１は、複数のシロッコファン３１の吸い込み口３２と対向するように設けられている。フィルター４１は、中心軸１０３の軸周りを周回する筒形状を有する。フィルター４１は、中心軸１０３を中心とし、支持ケース１２の外周上を覆う円筒形状を有する。空気清浄機１４０は、全体として、中心軸１０３を中心とする円筒形状を有する。
【００８０】
このような構成により、全体として、円筒形状を有し、中心軸１０３の半径方向外側から空気を吸い込み、中心軸１０３の軸方向に沿った２方向に空気を吹き出す空気清浄機１４０を実現することができる。
【００８１】
なお、第１群のシロッコファン３１Ｐと、第２群のシロッコファン３１Ｑとは、異なる数であってもよい。複数のシロッコファン３１の吸い込み口３２を中心軸１０３の半径方向内側に向けて開口させるとともに、フィルター４１を支持ケース１２の内周側を覆うように設けてもよい。第１群のシロッコファン３１Ｐと、第２群のシロッコファン３１Ｑとのいずれか一方のみを設けてもよい。この場合に、たとえば、第１群のシロッコファン３１Ｐを、吹き出し口３３が交互に中心軸１０３の軸方向に沿った反対方向に開口するように配置することによって、第１群のシロッコファン３１Ｐのみで、中心軸１０３の軸方向に沿った２方向に空気を吹き出す構成を実現することができる。
【００８２】
図１１および図１２は、図１０中の空気清浄機の変形例を示す斜視図である。図１１を参照して、本変形例では、複数のシロッコファン３１が、中心軸１０３を中心とする多角形断面の筒体の側面上に設けられている。図１２を参照して、本変形例では、複数のシロッコファン３１が、中心軸１０３を中心とする球面上に設けられている。
【００８３】
このように構成された、この発明の実施の形態５における空気清浄機１４０によれば、実施の形態１に記載の効果を同様に奏することができる。
【００８４】
（実施の形態６）
図１３は、この発明の実施の形態６における空気清浄機を示す斜視図である。図１４は、図１３中のＸＩＶ−ＸＩＶ線上の矢視方向から見た空気清浄機を示す断面図である。図１５は、図１３中のＸＶ−ＸＶ線上の矢視方向から見た空気清浄機を示す断面図である。本実施の形態における空気清浄機は、実施の形態１における空気清浄機１１０と比較して、主に複数のシロッコファン３１の配置が異なる。以下、重複する構造については、その説明を繰り返さない。
【００８５】
図１３から図１５を参照して、この発明の実施の形態６における空気清浄機１５０は、複数のシロッコファン３１と、支持ケース１２と、フィルター４１と、イオン発生装置（不図示）とを有する。
【００８６】
複数のシロッコファン３１は、仮想上の中心軸１０４の周りに並べられている。複数のシロッコファン３１は、中心軸１０４を中心とする円周上に並んで設けられている。複数のシロッコファン３１は、回転中心軸１０１が中心軸１０４を中心とする円周の接線方向に延びるように設けられている。複数のシロッコファン３１は、中心軸１０４を中心とする周方向において等間隔に設けられている。
【００８７】
複数のシロッコファン３１の吸い込み口３２は、中心軸１０４を中心とする円周の接線方向を向いて開口している。複数のシロッコファン３１の吹き出し口３３は、互いに中心軸１０４の周方向にずれた位置で、中心軸１０４の軸方向に沿った一方向を向いて開口している。
【００８８】
支持ケース１２は、複数のシロッコファン３１を一体に支持するように設けられている。支持ケース１２は、中心軸１０４を中心とする円柱形状を有する。
【００８９】
フィルター４１は、中心軸１０４の軸方向において支持ケース１２と重ね合わされている。フィルター４１は、中心軸１０４を中心とする円筒形状を有する。フィルター４１の内側の空間は、シロッコファン３１の吸い込み口３２に連通している。空気清浄機１５０は、全体として、中心軸１０４を中心とする円柱形状を有する。
【００９０】
このような構成により、全体として、円柱形状を有し、中心軸１０４の半径方向外側から空気を吸い込み、中心軸１０４の軸方向に沿った一方向に空気を吹き出す空気清浄機１５０を実現することができる。
【００９１】
このように構成された、この発明の実施の形態６における空気清浄機１５０によれば、実施の形態１に記載の効果を同様に奏することができる。
【００９２】
（実施の形態７）
図１６は、この発明の実施の形態７における空気清浄機を示す斜視図である。図１７は、図１６中のＸＶＩＩ−ＸＶＩＩ線上の矢視方向から見た空気清浄機を示す断面図である。本実施の形態における空気清浄機は、実施の形態１における空気清浄機１１０と比較して、主に複数のシロッコファン３１の配置が異なる。以下、重複する構造については、その説明を繰り返さない。
【００９３】
図１６および図１７を参照して、この発明の実施の形態７における空気清浄機１６０は、複数のシロッコファン３１と、支持ケース１２と、フィルター４１と、イオン発生装置（不図示）とを有する。
【００９４】
複数のシロッコファン３１は、湾曲面上に並べられている。複数のシロッコファン３１は、第１群のシロッコファン３１Ｐと、第２群のシロッコファン３１Ｑとを含む。第１群のシロッコファン３１Ｐおよび第２群のシロッコファン３１Ｑは、同数である。
【００９５】
第１群のシロッコファン３１Ｐは、円弧上に並んで設けられている。第２群のシロッコファン３１Ｑは、円弧上に並んで設けられている。第１群のシロッコファン３１Ｐおよび第２群のシロッコファン３１Ｑは、図１６における上下方向に並んでいる。以下、第１群のシロッコファン３１Ｐおよび第２群のシロッコファン３１Ｑの各々が円弧上に並ぶ方向を「周方向」といい、第１群のシロッコファン３１Ｐおよび第２群のシロッコファン３１Ｑが上下に並ぶ方向を「高さ方向」という。
【００９６】
第１群のシロッコファン３１Ｐは、周方向において等間隔に設けられている。第２群のシロッコファン３１Ｑは、周方向において等間隔に設けられている。
【００９７】
第１群のシロッコファン３１Ｐの吸い込み口３２は、互いに異なる方向を向いて開口している。第１群のシロッコファン３１Ｐの吹き出し口３２は、互いに周方向にずれた位置で、第１群のシロッコファン３１が並ぶ円弧の外周側に開口している。第１群のシロッコファン３１Ｐは、第１群のシロッコファン３１Ｐの間で、回転中心軸１０１が互いに非平行となるように設けられている。第２群のシロッコファン３１Ｑの吸い込み口３２は、互いに異なる方向を向いて開口している。第２群のシロッコファン３１Ｑの吹き出し口３２は、互いに周方向にずれた位置で、第２群のシロッコファン３１Ｑが並ぶ円弧の外周側に開口している。第２群のシロッコファン３１Ｑは、第２群のシロッコファン３１Ｑの間で、回転中心軸１０１が互いに非平行となるように設けられている。
【００９８】
第１群のシロッコファン３１Ｐの吹き出し口３３は、高さ方向に沿った第１方向（図１６中において、下方向）を向いて開口している。第２群のシロッコファン３１Ｑの吹き出し口３３は、高さ方向に沿った、第１方向とは反対方向の第２方向（図１６中において、上方向）を向いて開口している。
【００９９】
支持ケース１２は、複数のシロッコファン３１を一体に支持するように設けられている。支持ケース１２は、第１群のシロッコファン３１Ｐおよび第２群のシロッコファン３１Ｑの各々が並ぶ円弧の半径方向が厚み方向となる湾曲板形状を有する。
【０１００】
フィルター４１は、第１群のシロッコファン３１Ｐおよび第２群のシロッコファン３１Ｑの各々が並ぶ円弧の外周側から、支持ケース１２に重ね合わされている。フィルター４１は、複数のシロッコファン３１の吸い込み口３２と対向するように設けられている。フィルター４１は、第１群のシロッコファン３１Ｐおよび第２群のシロッコファン３１Ｑの各々が並ぶ円弧の半径方向が厚み方向となる湾曲板形状を有する。空気清浄機１６０は、全体として、第１群のシロッコファン３１Ｐおよび第２群のシロッコファン３１Ｑの各々が並ぶ円弧の半径方向が厚み方向となる湾曲板形状を有する。
【０１０１】
このような構成により、全体として、円弧状の湾曲板形状を有し、その外周側から空気を吸い込み、その軸方向に沿った２方向に空気を吹き出す空気清浄機１６０を実現することができる。
【０１０２】
なお、第１群のシロッコファン３１Ｐと、第２群のシロッコファン３１Ｑとは、異なる数であってもよい。複数のシロッコファン３１の吸い込み口３２を、湾曲板の内周側に開口させるとともに、フィルター４１を円弧状の湾曲板の内周側に設けてもよい。第１群のシロッコファン３１Ｐと、第２群のシロッコファン３１Ｑとのいずれか一方のみを設けてもよい。この場合に、たとえば、第１群のシロッコファン３１Ｐを、吹き出し口３３が交互に円弧状の湾曲板の軸方向に沿った反対方向に開口するように配置することによって、第１群のシロッコファン３１Ｐのみで、円弧状の湾曲板の軸方向に沿った２方向に空気を吹き出す構成を実現することができる。
【０１０３】
図１８から図２０は、図１７中の空気清浄機の変形例を示す断面図である。図１８を参照して、本変形例では、複数のシロッコファン３１が、波状の湾曲面上に並べられている。図１９を参照して、本変形例では、複数のシロッコファン３１が、ジグザグ状の屈曲面上に並べられている。図２０を参照して、本変形例では、複数のシロッコファン３１が、直交関係にある２つの平面上に並べられている。
【０１０４】
このように構成された、この発明の実施の形態７における空気清浄機１６０によれば、実施の形態１に記載の効果を同様に奏することができる。
【０１０５】
（実施の形態８）
図２１は、この発明の実施の形態８における空気清浄機を示す斜視図である。本実施の形態における空気清浄機は、実施の形態１における空気清浄機１１０と比較して、主に複数のシロッコファン３１の配置が異なる。以下、重複する構造については、その説明を繰り返さない。
【０１０６】
図２１を参照して、この発明の実施の形態８における空気清浄機１７０は、複数のファンユニット７１（７１Ａ，７１Ｂ，７１Ｃ，７１Ｄ）を有する。
【０１０７】
各ファンユニット７１は、複数のシロッコファン３１と、支持ケース１２と、フィルター（不図示）と、イオン発生装置（不図示）とを有する。
【０１０８】
各ファンユニット７１において、複数のシロッコファン３１は、平面上に並べられている。複数のシロッコファン３１は、一方向（一列）に並べられている。複数のシロッコファン３１は、複数のシロッコファン３１の間で、回転中心軸１０１が互いに平行となるように設けられている。
【０１０９】
各ファンユニット７１において、複数のシロッコファン３１の吸い込み口３２は、互いに同じ方向を向いて開口している。複数のシロッコファン３１の吸い込み口３２は、複数のシロッコファン３１が並べられる平面に直交する方向を向いて開口している。各ファンユニット７１において、複数のシロッコファン３１の吹き出し口３３は、互いに同じ方向を向いて開口している。複数のシロッコファン３１の吹き出し口３３は、複数のシロッコファン３１が並べられる平面内において、複数のシロッコファン３１の並び方向に直交する方向を向いて開口している。
【０１１０】
支持ケース１２は、複数のシロッコファン３１を一体に支持するように設けられている。支持ケース１２は、ファンユニット７１の外観をなしている。支持ケース１２は、複数のシロッコファン３１の並び方向が長手方向となる長尺体形状を有する。支持ケース１２には、開口部７３が形成されている。開口部７３は、シロッコファン３１の回転中心軸１０１に対して斜め方向（図２１中では、斜め上方向）を向いて開口している。開口部７３は、複数のシロッコファン３１の吹き出し口３３と対向するように形成されている。
【０１１１】
複数のファンユニット７１は、互いに組み合わせ可能なように構成されている。複数のファンユニット７１は、複数のシロッコファン３１の並び方向に直交する方向に組み合わされている。複数のファンユニット７１は、このような組み合わせ形態に限られず、たとえば、複数のシロッコファン３１の並び方向に直列に組み合わされてもよい。ファンユニット７１には、互いに隣り合うファンユニット７１同士を連結するための連結機構部（たとえば、ねじ止めやクリップなど）が設けられてもよい。
【０１１２】
このような構成によれば、空気清浄機１７０の使用場所や使用目的などに応じて、適当な数のファンユニット７１を組み合わせて用いることができる。
【０１１３】
このように構成された、この発明の実施の形態８における空気清浄機１７０によれば、実施の形態１に記載の効果を同様に奏することができる。
【０１１４】
（実施の形態９）
図２２は、この発明の実施の形態９における空気清浄機を示す斜視図である。図２３から図２５は、図２２中の空気清浄機の使用形態の具体例を示す斜視図である。
【０１１５】
図２２から図２５を参照して、この発明の実施の形態９における空気清浄機１８０は、複数のファンユニット７６（７６Ａ，７６Ｂ，７６Ｃ，７６Ｄ，７６Ｅ，７６Ｆ）を有する。
【０１１６】
各ファンユニット７６は、複数のシロッコファン３１と、支持ケース１２と、フィルター（不図示）と、イオン発生装置（不図示）とを有する。
【０１１７】
ファンユニット７６は、直方体の平板（薄板）形状を有する。ファンユニット７６は、互いに同一形状を有する。複数のファンユニット７６は、ファンユニット７６の厚み方向に直交する１面から空気を吸い込み、ファンユニット７６の厚み方向に平行な２面から空気を吹き出すように設けられている。
【０１１８】
複数のファンユニット７６は、互いに組み合わせ可能なように構成されている。複数のファンユニット７６は、互いに着脱可能に連結されている。複数のファンユニット７６は、蛇腹形状の第１状態（図２３および図２４中に示す状態）と、複数のファンユニット７６が折り畳まれて、互いに重なり合う第２状態（図２２中に示す状態）との間で変形可能なように連結されている。
【０１１９】
このような構成によれば、空気清浄機１７０の使用場所や使用目的などに応じて、適当な数のファンユニット７６を組み合わせて用いることができる。たとえば、図２３中に示すように、６つのファンユニット７６Ａ，７６Ｂ，７６Ｃ，７６Ｄ，７６Ｅ，７６Ｆを蛇腹形状の第１状態として用いてもよいし、図２４中に示すように、４つのファンユニット７６Ａ，７６Ｂ，７６Ｃ，７６Ｄを蛇腹形状の第１状態として用いてもよい。また、図２５中に示すように、１つのファンユニット７６Ａを卓上で用いてもよい。複数のファンユニット７６を折り畳まれた第２状態とすることによって、空気清浄機１８０をコンパクトに収容することができる。
【０１２０】
このように構成された、この発明の実施の形態９における空気清浄機１８０によれば、実施の形態１に記載の効果を同様に奏することができる。
【０１２１】
（実施の形態１０）
図２６から図３０は、空気清浄機の使用形態の具体例を示す斜視図である。本実施の形態では、実施の形態１〜９において説明した各種空気清浄機の使用形態の具体例について説明する。
【０１２２】
実施の形態１〜９において説明した各種の空気清浄機１９０は、壁や天井に取り付けて使用したり、卓上で使用したり、室内に設置される家電製品や家具などに取り付けて使用したりすることができる。
【０１２３】
たとえば、図２６中に示す具体例では、空気清浄機１９０が磁石を用いて冷蔵庫に取り付けられている。図２７および図２８中に示す具体例では、それぞれ、空気清浄機１９０が、机の裏側およびベッドに取り付けられている。図２９中に示す具体例では、空気清浄機１９０が、姿見の鏡の裏側に取り付けられている。図３０中に示す具体例では、空気清浄機１９０が、壁掛けの鏡の裏側に取り付けられている。
【０１２４】
これらの具体例に示すように、空気清浄機を設置する場所によって、求められる空気清浄機の全体形状や大きさ、空気の吸い込み方向、吹き出し方向などが異なる。そこで、複数のシロッコファンを適切に組み合わせることによって、これらの設計上の要求を容易に満たすことができる。
【０１２５】
（実施の形態１１）
図３１および図３２は、この発明の実施の形態１１における空気清浄機の使用形態の具体例を示す斜視図である。図３３は、図３１および図３２中の空気清浄機を構成するファンユニットを示す斜視図である。
【０１２６】
図３１から図３３を参照して、この発明の実施の形態１１における空気清浄機２１０は、複数のファンユニット８０（８０Ａ，８０Ｂ，８０Ｃ，８０Ｄ）を有する。
【０１２７】
各ファンユニット８０は、シロッコファン３１と、支持ケース８１と、フィルター４１とを有する。
【０１２８】
シロッコファン３１およびフィルター４１は、実施の形態１において説明した構造を有する。支持ケース８１は、シロッコファン３１およびフィルター４１を一体に支持するように設けられている。支持ケース８１は、ファンユニット８０の外観をなしている。支持ケース８１は、立方体形状を有する。複数のファンユニット８０は、互いに同一形状を有する。
【０１２９】
支持ケース８１には、開口部８２および開口部８３が形成されている。開口部８２は、立方体形状を有する支持ケース８１の一面に開口している。開口部８２には、フィルター４１が嵌め合わされている。フィルター４１は、シロッコファン３１の吸い込み口３２と対向して設けられている。開口部８３は、開口部８２と隣り合う支持ケース８１の１面に開口している。開口部８３は、シロッコファン３１の吹き出し口３３と対向するように設けられている。
【０１３０】
このような構成により、全体として、立方体形状を有し、その一面から空気を吸い込み、別の一面から空気を吹き出すファンユニット８０が構成されている。
【０１３１】
このようなファンユニット８０を複数、組み合わせることによって、空気清浄機の全体形状や大きさ、送風方向などを自在に変化させることができる。図３１中に示す具体例では、Ｌ字形の空気清浄機が構成され、図３２中に示す具体例では、Ｔ字形の空気清浄機が構成されている。
【０１３２】
なお、ファンユニット８０には、フィルター４１に加えて、イオンを発生させるイオン発生装置が設けられてもよいし、フィルター４１およびイオン発生装置のうちのイオン発生装置のみが設けられてもよい。ファンユニット８０の形状は、立方体形状に限られず、たとえば、直方体形状や多角柱形状であってもよい。ファンユニット８０には、互いに隣り合うファンユニット８０同士を連結するための連結機構部（たとえば、ねじ止めやクリップなど）が設けられてもよい。
【０１３３】
このように構成された、この発明の実施の形態１１における空気清浄機２１０によれば、ユーザが求める使用形態の変化に容易に対応することが可能な空気清浄機を実現することができる。
【０１３４】
（本発明の一態様および別態様の構成および作用効果）
この発明の一態様に従った送風機は、互いに離れて設けられる複数の遠心ファンと、複数の遠心ファンを一体に支持する支持部とを備える。遠心ファンは、周方向に互いに間隔を隔てて設けられる複数の羽根部と、複数の羽根部を回転させるモータと、羽根部の回転に伴って、羽根部の回転中心軸の軸方向から空気を吸い込む吸い込み口と、羽根部の回転中心軸の半径方向に空気を吹き出す吹き出し口とが形成されるケーシングとを有する。
【０１３５】
このように構成された送風機によれば、複数の遠心ファンを適切に組み合わせて用いることにより、簡易な構成で、種々の設計上の要求を満たす送風機を実現することができる。
【０１３６】
また好ましくは、複数の遠心ファンは、吹き出し口が互いに異なる方向を向いて開口する第１遠心ファンおよび第２遠心ファンを含む。
【０１３７】
このように構成された送風機によれば、吹き出し口からの空気の吹き出し方向（送風方向）が多方向となる送風機を実現することができる。
【０１３８】
また好ましくは、複数の遠心ファンは、平面上に並べられる。
このように構成された送風機によれば、送風機の小型化（薄型化）を図ることができる。
【０１３９】
また好ましくは、複数の遠心ファンは、複数の遠心ファンの間で、羽根部の回転中心軸が互いに平行となるように並べられる。
【０１４０】
このように構成された送風機によれば、複数の遠心ファンを、羽根部の回転中心軸の軸方向に対して同じ姿勢で配置することができる。
【０１４１】
また好ましくは、複数の遠心ファンは、羽根部の回転中心軸が互いに非平行となる第３遠心ファンおよび第４遠心ファンを含む。
【０１４２】
このように構成された送風機によれば、第３遠心ファンおよび第４遠心ファンを、羽根部の回転中心軸の軸方向に対して異なる姿勢で配置することができる。
【０１４３】
また好ましくは、複数の遠心ファンは、矩形の辺上または円周上に並べられる。
このように構成された送風機によれば、複数の遠心ファンの配置を通じて、送風機の全体形状や送風方向などを自在に設定することができる。
【０１４４】
また好ましくは、複数の遠心ファンは、羽根部の回転中心軸の軸方向に間隔を隔てた複数層に渡って設けられる。
【０１４５】
このように構成された送風機によれば、送風機の送風能力を向上させることができる。
また好ましくは、複数の遠心ファンは、一方向に並べられる。
【０１４６】
このように構成された送風機によれば、長尺体形状の送風機を実現することができる。
また好ましくは、送風機は、互いに組み合わせ可能な複数のファンユニットを備える。各ファンユニットは、複数の遠心ファンと、支持部とを有する。
【０１４７】
このように構成された送風機によれば、全体形状や大きさ、空気の吸い込み方向、吹き出し方向などの送風機の使用形態を自在に変更することができる。
【０１４８】
また好ましくは、送風機は、空気が通過可能なフィルターをさらに備える。複数の遠心ファンは、各遠心ファンの吸い込み口がフィルターと対向するように並べられる。
【０１４９】
このように構成された送風機によれば、フィルターの全面積に対してフィルターが有効に機能する面積の割合を増大させることができる。
【０１５０】
また好ましくは、送風機は、モータの駆動を制御する制御部をさらに備える。複数の遠心ファンは、制御部を取り囲むように並べられる。
【０１５１】
このように構成された送風機によれば、複数の遠心ファンにより取り囲まれた空間を、制御部を配置する空間として有効に利用することができる。
【０１５２】
また好ましくは、送風機は、互いに隣り合う遠心ファンの間に配置され、吹き出し口に対向する位置に向けてイオンを送出するイオン発生装置をさらに備える。
【０１５３】
このように構成された送風機によれば、互いに隣り合う遠心ファンの間の空間を、イオン発生装置を配置する空間として有効に利用することができる。
【０１５４】
また好ましくは、複数の遠心ファンは、仮想上の軸の周りに並べられる。
このように構成された送風機によれば、複数の遠心ファンの配置を通じて、送風機の全体形状や送風方向などを自在に設定することができる。
【０１５５】
また好ましくは、複数の遠心ファンは、吹き出し口が仮想上の軸の軸方向に沿った第１方向を向いて開口する第５遠心ファンを含む。
【０１５６】
このように構成された送風機によれば、送風方向を、仮想上の軸の軸方向に沿った第１方向に設定することができる。
【０１５７】
また好ましくは、複数の遠心ファンは、吹き出し口が仮想上の軸の軸方向に沿った、第１方向とは反対方向の第２方向を向いて開口する第６遠心ファンをさらに含む。
【０１５８】
このように構成された送風機によれば、送風方向を、仮想上の軸の軸方向に沿った両方向に設定することができる。
【０１５９】
また好ましくは、複数の遠心ファンは、吸い込み口が仮想上の軸の半径方向を向いて開口するように配置される。
【０１６０】
このように構成された送風機によれば、空気の吸い込み方向を、仮想軸の軸の半径方向に設定することができる。
【０１６１】
また好ましくは、送風機は、空気が通過可能なフィルターをさらに備える。フィルターは、吸い込み口と対向して配置され、仮想上の軸の周りを周回する筒形状を有する。
【０１６２】
このように構成された送風機によれば、フィルターを備える送風機をコンパクトに構成することができる。
【０１６３】
また好ましくは、複数の遠心ファンは、吸い込み口が仮想上の軸の軸方向を向いて開口し、吹き出し口が仮想上の軸の半径方向外側を向いて開口するように配置される。
【０１６４】
このように構成された送風機によれば、空気の吸い込み方向を、仮想上の軸の軸方向に設定し、送風方向を、仮想上の軸の半径方向外側に向けて設定することができる。
【０１６５】
また好ましくは、送風機は、空気が通過可能なフィルターをさらに備える。フィルターは、吸い込み口と対向して配置され、仮想上の軸に直交する板形状を有する。
【０１６６】
このように構成された送風機によれば、フィルタを備える送風機をコンパクトに構成することができる。
【０１６７】
また好ましくは、複数の遠心ファンは、湾曲面または屈曲面上に並べられる。
このように構成された送風機によれば、複数の遠心ファンの配置を通じて、送風機の全体形状や送風方向などを自在に設定することができる。
【０１６８】
この発明の別態様に従った送風機は、複数のファンユニットを備える。ファンユニットは、遠心ファンと、空気が通過可能なフィルター、および、イオンを発生するイオン発生装置の少なくともいずれか一方と、遠心ファンと、フィルターおよびイオン発生装置の少なくともいずれか一方とを、一体に支持する支持部とを有する。遠心ファンは、周方向に互いに間隔を隔てて設けられる複数の羽根部と、複数の羽根部を回転させるモータと、羽根部の回転に伴って、羽根部の回転中心軸の軸方向から空気を吸い込む吸い込み口と、羽根部の回転中心軸の半径方向に空気を吹き出す吹き出し口とが形成されるケーシングとを含む。
【０１６９】
このように構成された送風機によれば、複数のファンユニットを適切に組み合わせて用いることにより、ユーザが求める使用形態の変化に容易に対応することが可能な送風機を実現することができる。
【０１７０】
また好ましくは、複数のファンユニットは、互いに連結可能なように構成される。
このように構成された送風機によれば、複数のファンユニットを一体物として扱うことができる。
【０１７１】
また好ましくは、ファンユニットは、互いに同一形状を有する。
このように構成された送風機によれば、互いに同一形状を有するファンユニットを複数組み合わせることによって、種々な形状を有する送風機を得ることができる。
【０１７２】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１７３】
この発明は、送風機に利用される。
【符号の説明】
【０１７４】
１２，８１  支持ケース、１３  第１側部、１４  第２側部、１５  第３側部、１６  第４側部、１７  底部、１８，２６  仕切り板、２０  制御部、２１，２２，２７，２８，７３，８２，８３  開口部、３１，３１Ａ，３１Ｂ，３１Ｃ，３１Ｄ，３１Ｅ，３１Ｆ，３１Ｇ，３１Ｈ，３１Ｉ，３１Ｊ，３１Ｋ，３１Ｌ，３１Ｍ，３１Ｎ，３１Ｏ，３１Ｐ，３１Ｑ  シロッコファン、３２  吸い込み口、３３  吹き出し口、３４  ロータ部、３５  羽根部、３６  モータ、３７  ケーシング、３８  軸受け、３９  シャフト、４１  フィルター、５１  イオン発生装置、５２  放電電極、５４  取り付け治具、５５  コード、５６  スタンド、５７  イオン発生装置ユニット、５８  センサ、５９  モバイル用バッテリ、７１，７１Ａ，７１Ｂ，７１Ｃ，７１Ｄ，７６，７６Ａ，７６Ｂ，７６Ｃ，７６Ｄ，７６Ｅ，７６Ｆ，８０，８０Ａ，８０Ｂ，８０Ｃ，８０Ｄ  ファンユニット、１０１  回転中心軸、１０２，１０３，１０４  中心軸、１１０，１１５，１２０，１３０，１４０，１５０，１６０，１７０，１８０，１９０，２１０  空気清浄機。
【図１】
2018016105.tif 000003
【図２】
2018016105.tif 000004
【図３】
2018016105.tif 000005
【図４】
2018016105.tif 000006
【図５】
2018016105.tif 000007
【図６】
2018016105.tif 000008
【図７】
2018016105.tif 000009
【図８】
2018016105.tif 000010
【図９】
2018016105.tif 000011
【図１０】
2018016105.tif 000012
【図１１】
2018016105.tif 000013
【図１２】
2018016105.tif 000014
【図１３】
2018016105.tif 000015
【図１４】
2018016105.tif 000016
【図１５】
2018016105.tif 000017
【図１６】
2018016105.tif 000018
【図１７】
2018016105.tif 000019
【図１８】
2018016105.tif 000020
【図１９】
2018016105.tif 000021
【図２０】
2018016105.tif 000022
【図２１】
2018016105.tif 000023
【図２２】
2018016105.tif 000024
【図２３】
2018016105.tif 000025
【図２４】
2018016105.tif 000026
【図２５】
2018016105.tif 000027
【図２６】
2018016105.tif 000028
【図２７】
2018016105.tif 000029
【図２８】
2018016105.tif 000030
【図２９】
2018016105.tif 000031
【図３０】
2018016105.tif 000032
【図３１】
2018016105.tif 000033
【図３２】
2018016105.tif 000034
【図３３】
2018016105.tif 000035
【国際調査報告】
2018016105.tif 000036
2018016105.tif 000037